(57)【要約】【課題】ユーザが防犯の処置を行わずに外出した場合にも、ユーザ宅の防犯を行うことが可能で、かつ、防犯状態になったことをユーザが外出中に認識することが可能なセキュリティ装置セキュリティ装置を提供する。【解決手段】このセキュリティ装置（セキュリティ端末１０および送受信機２０）は、異常を検知した際に報知するセキュリティモードと、セキュリティモードが解除された通常モードとを切替可能に構成されたセキュリティ端末１０を備えている。セキュリティ端末１０は、ユーザの携帯端末３０と通信可能な通信制御部１４と、通常モードの状態でユーザが外出したことを検知した場合に、通常モードからセキュリティモードに切り替えるとともに、セキュリティ端末１０側で通常モードからセキュリティモードに切り替えたことを通信制御部１４を介してユーザの携帯端末３０に通知するように制御する制御部１３とを含む。【選択図】図４
2011076196.tif 000002
【特許請求の範囲】
【請求項１】
異常を検知した際に報知するセキュリティモードと、前記セキュリティモード以外のモードとを切替可能に構成されたセキュリティ端末を備え、
前記セキュリティ端末は、
ユーザの携帯端末と通信可能な通信部と、
前記セキュリティモード以外のモードの状態でユーザが外出したことを検知した場合に、前記セキュリティモード以外のモードから前記セキュリティモードに切り替えるとともに、前記セキュリティ端末側で前記セキュリティモード以外のモードから前記セキュリティモードに切り替えたことを前記通信部を介して前記ユーザの携帯端末に通知するように制御する制御部とを含む、セキュリティ装置。
【請求項２】
ユーザにより携帯可能に構成されているとともに、前記セキュリティ端末から所定の距離内において前記セキュリティ端末と通信可能に構成された送受信機をさらに備え、
前記セキュリティ端末の制御部は、前記セキュリティモード以外のモードの状態で、前記送受信機が前記セキュリティ端末から所定の距離以上遠くに移動されたと判断した場合に、ユーザが外出したと判断して前記セキュリティモード以外のモードから前記セキュリティモードに切り替えるとともに、前記セキュリティ端末側で前記セキュリティモード以外のモードから前記セキュリティモードに切り替えたことを前記通信部を介して前記ユーザの携帯端末に通知する制御を行うように構成されている、請求項１に記載のセキュリティ装置。
【請求項３】
前記セキュリティ端末の制御部は、前記セキュリティモード以外のモードの状態で、ユーザ宅の出入口の開閉を検知可能な出入口センサ部によりユーザ宅の出入口が開閉されたことが検知された後に前記送受信機が前記セキュリティ端末から所定の距離以上遠くに移動された場合に、ユーザが外出したと判断して前記セキュリティモード以外のモードから前記セキュリティモードに切り替えるとともに、前記セキュリティ端末側で前記セキュリティモード以外のモードから前記セキュリティモードに切り替えたことを前記通信部を介して前記ユーザの携帯端末に通知する制御を行うように構成されている、請求項２に記載のセキュリティ装置。
【請求項４】
前記セキュリティ端末の制御部は、ユーザが外出したことを検知した場合に、前記セキュリティ端末側で前記セキュリティモード以外のモードから前記セキュリティモードに切り替えたことを前記通信部を介して電子メールにより前記携帯端末に通知する制御を行うように構成されている、請求項１〜３のいずれか１項に記載のセキュリティ装置。
【請求項５】
前記セキュリティ端末の制御部は、ユーザが外出中で、かつ、前記セキュリティモードに切り替えた状態で異常を検知した際に、検知された異常の情報を、前記通信部を介して、前記携帯端末の待受画面に表示するように前記携帯端末に送信する制御を行うように構成されている、請求項１〜４のいずれか１項に記載のセキュリティ装置。
【請求項６】
前記セキュリティ端末の制御部は、ユーザが外出中で、かつ、前記セキュリティモードに切り替えた状態で異常を検知した場合に、前記通信部を介して、前記異常が重大であると判断した場合には、重大な前記異常情報を少なくとも電子メールにより前記携帯端末に送信するとともに、前記異常が重大ではないと判断した場合には、重大ではない前記異常情報を前記携帯端末の待受画面に表示するように前記携帯端末に送信する制御を行うように構成されている、請求項５に記載のセキュリティ装置。
【請求項７】
前記セキュリティ端末の制御部は、ユーザが外出中で、かつ、前記セキュリティモードに切り替えた状態でユーザ宅の室内に設置される室内センサにより前記室内に不審者がいるという異常が検知された場合に、検知した異常が重大であると判断するとともに、ユーザ宅の室内に不審者がいることを電子メールによって前記携帯端末に報知し、ユーザが外出中で、かつ、前記セキュリティモードに切り替えた状態でユーザ宅の室外に設置される室外センサにより前記室外に不審者がいるという異常が検知された場合に、検知した異常が重大ではないと判断するとともに、前記室外に不審者がいることを前記ユーザの携帯端末の待受画面に表示するように前記携帯端末に送信する制御を行うように構成されている、請求項６に記載のセキュリティ装置。
【請求項８】
前記セキュリティ端末は、写真画像を表示可能なフォトフレームとしての表示部をさらに備える、請求項１〜７のいずれか１項に記載のセキュリティ装置。
【請求項９】
異常を検知した際に報知するセキュリティモードと、前記セキュリティモード以外のモードとを切替可能に構成されたセキュリティ端末と、
ユーザにより携帯可能に構成されているとともに、前記セキュリティ端末から所定の距離内において前記セキュリティ端末と通信可能に構成された送受信機とを備え、
前記セキュリティ端末は、
ユーザにより携帯可能な携帯端末と通信するための通信部と、
前記セキュリティモード以外のモードの状態で前記ユーザが外出したことを検知した場合に、前記セキュリティモード以外のモードから前記セキュリティモードに切り替えるとともに、前記セキュリティ端末側で前記セキュリティモード以外のモードから前記セキュリティモードに切り替えたことを前記通信部を介して前記携帯端末に通知するように制御する制御部とを含む、セキュリティシステム。
【請求項１０】
前記セキュリティ端末と通信可能に構成されているとともに、ユーザ宅の出入口の開閉を検知可能な出入口センサ部をさらに備え、
前記セキュリティ端末の制御部は、前記セキュリティモード以外のモードの状態で、前記出入口センサ部によりユーザ宅の出入口が開閉されたことが検知された後に前記送受信機が前記セキュリティ端末から所定の距離以上遠くに移動されたと判断した場合に、ユーザが外出したと判断して前記セキュリティモード以外のモードから前記セキュリティモードに切り替えるとともに、前記セキュリティ端末側で前記セキュリティモード以外のモードから前記セキュリティモードに切り替えたことを前記通信部を介して前記ユーザの携帯端末に通知する制御を行うように構成されている、請求項９に記載のセキュリティシステム。
【請求項１１】
前記セキュリティ端末の制御部は、ユーザが外出中で、かつ、前記セキュリティモードに切り替えた状態で異常を検知した際に、検知された異常の情報を、前記通信部を介して、前記携帯端末の待受画面に表示するように前記携帯端末に送信する制御を行うように構成されている、請求項９または１０に記載のセキュリティシステム。
【発明の詳細な説明】
【技術分野】
【０００１】
この発明は、セキュリティ装置およびセキュリティシステムに関し、特に、ユーザ宅などの防火および防犯などを行うセキュリティ装置およびセキュリティシステムに関する。
【背景技術】
【０００２】
従来、ユーザ宅などの防火および防犯などを行うセキュリティ装置およびセキュリティシステムが知られている（たとえば、特許文献１および２参照）。
【０００３】
上記特許文献１には、ドアまたは窓が閉まってから所定の時間が経過した場合に、ドアまたは窓が施錠されていないと判断された場合に、ドアまたは窓が施錠されていないことをユーザの携帯端末に通知するセキュリティシステムが開示されている。
【０００４】
また、上記特許文献２には、人感センサと、人感センサの検知に基づいて運転手が車両から所定の距離遠ざかったと判断した場合に、ドアをロックする車載電子機器とを備えた車両の防犯を行う車載電子制御システム（セキュリティシステム）が開示されている。
【先行技術文献】
【特許文献】
【０００５】
【特許文献１】特開２００８−３０５３４４号公報
【特許文献２】特開２００３−７８５９３号公報
【発明の概要】
【発明が解決しようとする課題】
【０００６】
しかしながら、上記特許文献１によるセキュリティシステムでは、ユーザの携帯端末に施錠されていないことを通知するだけであるので、ユーザがドアまたは窓の施錠を行うためにユーザ宅に戻るまでの間は、ユーザ宅のドアまたは窓は施錠されていない。このため、ユーザの外出中は、ユーザ宅の防犯を行うことが困難であるという問題点がある。
【０００７】
また、上記特許文献２による車載電子制御システムでは、ドアが本当にロックされているか否かが車両から離れた運転手にはわからないので、車両が防犯状態になったことをユーザが確認することができないという問題点がある。
【０００８】
この発明は、上記のような課題を解決するためになされたものであり、この発明の１つの目的は、ユーザが防犯の処置を行わずに外出した場合にも、ユーザ宅の防犯を行うことが可能で、かつ、防犯状態になったことをユーザが外出中に認識することが可能なセキュリティ装置およびセキュリティシステムを提供することである。
【課題を解決するための手段および発明の効果】
【０００９】
この発明の第１の局面によるセキュリティ装置は、異常を検知した際に報知するセキュリティモードと、セキュリティモードが解除されたセキュリティモード以外のモードとを切替可能に構成されたセキュリティ端末を備え、セキュリティ端末は、ユーザの携帯端末と通信可能な通信部と、セキュリティモード以外のモードの状態でユーザが外出したことを検知した場合に、セキュリティモード以外のモードからセキュリティモードに切り替えるとともに、セキュリティ端末側でセキュリティモード以外のモードからセキュリティモードに切り替えたことを通信部を介してユーザの携帯端末に通知するように制御する制御部とを含む。
【００１０】
この第１の局面によるセキュリティ装置では、上記のように、セキュリティモード以外のモードの状態でユーザが外出したことを検知した場合に、セキュリティモード以外のモードからセキュリティモードに切り替えることによって、ユーザがセキュリティモードに切り替えずに外出した場合にも、セキュリティ端末がセキュリティモードに自動的に切り替わるので、ユーザが防犯の処置を行わずに外出した場合にも、セキュリティモードによりユーザ宅の防犯を行うことができる。また、セキュリティモード以外のモードの状態でユーザが外出したことを検知した場合に、セキュリティ端末側でセキュリティモード以外のモードからセキュリティモードに切り替えたことを通信部を介してユーザの携帯端末に通知することによって、ユーザが外出する際にセキュリティモードに設定するのを忘れた場合にも、ユーザ宅が防犯状態に切り替えられたことをユーザが外出中に認識することができる。
【００１１】
上記第１の局面によるセキュリティ装置において、好ましくは、ユーザにより携帯可能に構成されているとともに、セキュリティ端末から所定の距離内においてセキュリティ端末と通信可能に構成された送受信機をさらに備え、セキュリティ端末の制御部は、セキュリティモード以外のモードの状態で、送受信機がセキュリティ端末から所定の距離以上遠くに移動されたと判断した場合に、ユーザが外出したと判断してセキュリティモード以外のモードからセキュリティモードに切り替えるとともに、セキュリティ端末側でセキュリティモード以外のモードからセキュリティモードに切り替えたことを通信部を介してユーザの携帯端末に通知する制御を行うように構成されている。このように構成すれば、ユーザがセキュリティ端末から所定の距離以上遠くに移動した場合に、送受信機により容易にユーザが外出したと判断することができる。
【００１２】
この場合において、好ましくは、セキュリティ端末の制御部は、セキュリティモード以外のモードの状態で、ユーザ宅の出入口の開閉を検知可能な出入口センサ部によりユーザ宅の出入口が開閉されたことが検知された後に送受信機がセキュリティ端末から所定の距離以上遠くに移動されたと判断した場合に、ユーザが外出したと判断してセキュリティモード以外のモードからセキュリティモードに切り替えるとともに、セキュリティ端末側でセキュリティモード以外のモードからセキュリティモードに切り替えたことを通信部を介してユーザの携帯端末に通知する制御を行うように構成されている。このように構成すれば、送受信機がセキュリティ端末から所定の距離以上遠くに移動されたことと、出入口の開閉の検知との両方によりユーザが外出したか否かを判断することができるので、ユーザが外出したか否かをより正確に判断することができる。
【００１３】
上記第１の局面によるセキュリティ装置において、好ましくは、セキュリティ端末の制御部は、ユーザが外出したことを検知した場合に、セキュリティ端末側でセキュリティモード以外のモードからセキュリティモードに切り替えたことを通信部を介して電子メールにより携帯端末に通知する制御を行うように構成されている。このように構成すれば、通常携帯端末が備えている電子メール機能により、セキュリティ端末からのセキュリティモードへの切替の通知を容易に受けることができる。
【００１４】
上記第１の局面によるセキュリティ装置において、好ましくは、セキュリティ端末の制御部は、ユーザが外出中で、かつ、セキュリティモードに切り替えた状態で異常を検知した際に、検知された異常の情報を、通信部を介して、携帯端末の待受画面に表示するように携帯端末に送信する制御を行うように構成されている。このように構成すれば、待受画面上に異常の情報を表示するとともに異常の情報を更新するアプリケーションソフトであるいわゆるウィジェットエンジン機能を有する携帯端末をユーザが用いている場合に、ユーザの携帯端末の待受画面に異常の状態が表示されるので、異常の状態が電子メールによって通知される場合と異なり、ユーザは異常の状態を確認するために電子メールソフトなど携帯端末のアプリケーションソフトを立ち上げることなく、携帯端末の表示部の待受画面を視認するだけで異常の状態を確認することができる。
【００１５】
上記検知された異常の情報を携帯端末の待受画面に表示するように携帯端末に送信する制御部を有するセキュリティ端末を備えるセキュリティ装置において、好ましくは、セキュリティ端末の制御部は、ユーザが外出中で、かつ、セキュリティモードに切り替えた状態で異常を検知した場合に、通信部を介して、異常が重大であると判断した場合には、重大な異常情報を少なくとも電子メールにより携帯端末に送信するとともに、異常が重大ではないと判断した場合には、重大ではない異常情報を携帯端末の待受画面に表示するように携帯端末に送信する制御を行うように構成されている。このように構成すれば、異常が重大ではない場合には、携帯端末の待受画面を視認するだけで異常を認識することができるので、ユーザの操作負担なしに異常を認識することができる。また、異常が重大な場合には電子メールにより異常情報を携帯端末に通知することにより、一般的に電子メールが携帯端末により受信された場合には、受信音などにより電子メールを受信したことをユーザに認識させることができるので、ユーザに通知された異常の情報の通知が重大であることをユーザに確実に認識させることができる。また、異常が重大な場合に、電子メールのみならず、ウィジェットエンジンを用いて異常の情報を携帯端末の待受画面に表示させてもよい。
【００１６】
この場合において、好ましくは、セキュリティ端末の制御部は、ユーザが外出中で、かつ、セキュリティモードに切り替えた状態でユーザ宅の室内に設置される室内センサにより室内に不審者がいるという異常が検知された場合に、検知した異常が重大であると判断するとともに、ユーザ宅の室内に不審者がいることを電子メールによって携帯端末に報知し、ユーザが外出中で、かつ、セキュリティモードに切り替えた状態でユーザ宅の室外に設置される室外センサにより室外に不審者がいるという異常が検知された場合に、検知した異常が重大ではないと判断するとともに、室外に不審者がいることをユーザの携帯端末の待受画面に表示するように携帯端末に送信する制御を行うように構成されている。このように構成すれば、ユーザ宅の室外に不審者がいるという重大ではない異常が発生した場合には、携帯端末の待受画面を視認するだけで異常を認識することができるので、ユーザの操作負担なしに異常を認識することができる。また、ユーザ宅の室内に不審者がいるという重大な異常が発生した場合には電子メールにより異常情報を携帯端末に通知することにより、一般的に電子メールが携帯端末により受信された場合には、受信音などにより電子メールを受信したことをユーザに認識させることができるので、通知された異常の情報の通知が重大であることをユーザに確実に認識させることができる。
【００１７】
上記第１の局面によるセキュリティ装置において、好ましくは、セキュリティ端末は、写真画像を表示可能なフォトフレームとしての表示部をさらに備える。このように構成すれば、セキュリティ端末を電気的なフォトフレームとしても用いることができる。
【００１８】
この発明の第２の局面によるセキュリティシステムは、異常を検知した際に報知するセキュリティモードと、セキュリティモードが解除されたセキュリティモード以外のモードとを切替可能に構成されたセキュリティ端末と、ユーザにより携帯可能に構成されているとともに、セキュリティ端末から所定の距離内においてセキュリティ端末と通信可能に構成された送受信機とを含むセキュリティ装置と、ユーザにより携帯可能に構成されているとともに、セキュリティ端末と通信可能な携帯端末とを備え、セキュリティ装置のセキュリティ端末は、携帯端末と通信可能な通信部と、セキュリティモード以外のモードの状態でユーザが外出したことを検知した場合に、セキュリティモード以外のモードからセキュリティモードに切り替えるとともに、セキュリティ端末側でセキュリティモード以外のモードからセキュリティモードに切り替えたことを通信部を介して携帯端末に通知するように制御する制御部とを有する。
【００１９】
この第２の局面によるセキュリティシステムでは、上記のように、セキュリティモード以外のモードの状態でユーザが外出したことを検知した場合に、セキュリティモード以外のモードからセキュリティモードに切り替えることによって、ユーザがセキュリティモードに切り替えずに外出した場合にも、セキュリティ端末がセキュリティモードに自動的に切り替わるので、ユーザが防犯の処置を行わずに外出した場合にも、セキュリティモードによりユーザ宅の防犯を行うことができる。また、セキュリティモード以外のモードの状態でユーザが外出したことを検知した場合に、セキュリティ端末側でセキュリティモード以外のモードからセキュリティモードに切り替えたことを通信部を介してユーザの携帯端末に通知することによって、ユーザが外出する際にセキュリティモードに設定するのを忘れた場合にも、ユーザ宅が防犯状態に切り替えられたことをユーザが外出中に認識することができる。
【００２０】
上記第２の局面によるセキュリティシステムにおいて、好ましくは、セキュリティ端末と通信可能に構成されているとともに、ユーザ宅の出入口の開閉を検知可能な出入口センサ部をさらに備え、セキュリティ端末の制御部は、セキュリティモード以外のモードの状態で、出入口センサ部によりユーザ宅の出入口が開閉されたことが検知された後に送受信機がセキュリティ端末から所定の距離以上遠くに移動されたと判断した場合に、ユーザが外出したと判断してセキュリティモード以外のモードからセキュリティモードに切り替えるとともに、セキュリティ端末側でセキュリティモード以外のモードからセキュリティモードに切り替えたことを通信部を介してユーザの携帯端末に通知する制御を行うように構成されている。このように構成すれば、送受信機がセキュリティ端末から所定の距離以上遠くに移動されたことと、出入口の開閉とを合わせてユーザが外出したか否かを判断することができるので、ユーザが外出したか否かをより正確に判断することができる。また、送受信機がセキュリティ端末から所定の距離以上遠くに移動されたことと、出入口の開閉の検知との両方によりユーザが外出したか否かを判断することができるので、ユーザが外出したか否かをより正確に判断することができる。
【００２１】
上記第２の局面によるセキュリティシステムにおいて、好ましくは、セキュリティ端末の制御部は、ユーザが外出中で、かつ、セキュリティモードに切り替えた状態で異常を検知した際に、検知された異常の情報を、通信部を介して、携帯端末の待受画面に表示するように携帯端末に送信する制御を行うように構成されている。このように構成すれば、待受画面上に異常の情報を表示するとともに異常の情報を更新するアプリケーションソフトであるいわゆるウィジェットエンジン機能を有する携帯端末をユーザが用いている場合に、ユーザの携帯端末の待受画面に異常の状態が表示されるので、異常の状態が電子メールによってのみ通知される場合と異なり、ユーザは異常の状態を確認するために電子メールソフトなど携帯端末のアプリケーションソフトを立ち上げることなく、携帯端末の表示部の待受画面を視認するだけで異常の状態を確認することができる。
【図面の簡単な説明】
【００２２】
【図１】本発明の一実施形態によるセキュリティシステムの構成を説明するためのシステム図である。
【図２】本発明の一実施形態によるセキュリティシステムの構成を説明するためのブロック図である。
【図３】図１に示したセキュリティシステムの携帯端末の待受画面上で文字データが表示された状態を示した斜視図である。
【図４】本発明の一実施形態によるセキュリティシステムのセキュリティ端末の制御部および携帯端末の制御部の制御フローを説明するためのフローチャートである。
【発明を実施するための形態】
【００２３】
以下、本発明を具体化した実施形態を図面に基づいて説明する。
【００２４】
まず、図１〜図３を参照して、本発明の一実施形態によるセキュリティシステム１の構成について説明する。
【００２５】
図１に示すように、セキュリティシステム１（ホームセキュリティシステム）は、ユーザ宅の異常を検知した際に報知するセキュリティ端末１０と、ユーザにより携帯可能に構成され、微弱電波によりセキュリティ端末１０と通信可能な送受信機２０と、ユーザにより携帯可能に構成され、外部の通信基地局１００を利用してセキュリティ端末１０と通信可能な携帯端末３０と、微弱電波によりセキュリティ端末１０と通信可能なドアセンサ４０、室内センサ５０、室外センサ６０、火災センサ７０およびその他センサ類８０とにより構成されている。なお、ドアセンサ４０は、本発明の「出入口センサ部」の一例であり、室内センサ５０、室外センサ６０および火災センサ７０は、本発明の「異常検知センサ」の一例である。また、セキュリティ端末１０および送受信機２０は、本発明の「セキュリティ装置」の一例である。
【００２６】
セキュリティ端末１０は、画像データを表示部１１に表示可能なフォトフレーム機能を有するセキュリティ端末である。このセキュリティ端末１０は、図２に示すように、電源部１２と、セキュリティ端末１０の制御を司る制御部１３と、通信制御部１４と、ＷＡＮ（Ｗｉｄｅ  Ａｒｅａ  Ｎｅｔｗｏｒｋ）に対応する外部ネットワークインターフェース１５と、特定小電力無線モジュール１６と、アンテナ１７とにより構成されている。なお、通信制御部１４は、本発明の「通信部」の一例である。
【００２７】
電源部１２は、セキュリティ端末１０の各部に電力を供給する機能を有する。通信制御部１４は、後述するセキュリティモードの場合において何らかの異常を検知した際に、ユーザの携帯端末３０に電子メールなどを送信する制御を行う機能を有する。また、外部ネットワークインターフェース１５は、通信制御部１４により情報処理がされた電子メールなどを送信処理する機能を有する。この場合、セキュリティ端末１０は、通信制御部１４および外部ネットワークインターフェース１５によって、外部の通信基地局１００などを利用してユーザの携帯端末３０と通信可能に構成されている。特定小電力無線モジュール１６は、発信する電波の最大電力強さが所定の大きさ（０．０１Ｗ）以下の無線通信モジュールであり、近距離の機器間の通信で用いられる。この場合、セキュリティ端末１０は、特定小電力無線モジュール１６によって、アンテナ１７を介して微弱電波を発信することにより、送受信機２０、ドアセンサ４０、室内センサ５０、室外センサ６０、火災センサ７０およびその他センサ類８０と通信可能に構成されている。また、セキュリティ端末１０の特定小電力無線モジュール１６は、後述する送受信機２０の特定小電力無線モジュール２３と所定の時間間隔で通信を行うように構成されている。
【００２８】
ここで、本実施形態では、セキュリティ端末１０の制御部１３は、室内センサ５０および室外センサ６０により異常が検知された際に、異常を報知するセキュリティモードと、セキュリティモードが解除された通常モードとのいずれか一方のモードにより制御されるように構成されている。なお、通常モードは、本発明の「セキュリティモード以外のモード」の一例である。また、制御部１３は、通常モードの状態でユーザが外出したことを検知した場合に、通常モードからセキュリティモードに切り替える制御を行うように構成されている。また、制御部１３は、送受信機２０がセキュリティ端末１０から所定の距離（約５０ｍ）よりも遠くに移動された場合に、送受信機２０と定期的に行っている電波の送受信が行えなくなるので、この場合に、送受信機２０との交信が途切れたことを判断するように構成されている。また、制御部１３は、通常モードの状態でユーザが外出したことを検知した場合に、セキュリティ端末１０側で通常モードからセキュリティモードに切り替えたことを通信制御部１４および外部ネットワークインターフェース１５を介して携帯端末３０に通知する制御を行うように構成されている。また、制御部１３は、セキュリティモードの場合に、後述する携帯端末３０の待受画面（デスクトップ画面）に異常の状態を表示可能なアプリケーションソフト（ウィジェットエンジン）用の文字データとして、検知された異常の情報を携帯端末３０に送信するように構成されている。
【００２９】
また、送受信機２０は、上記のようにユーザにより携帯可能に構成されているとともに、セキュリティ端末１０から所定の距離内においてセキュリティ端末１０と通信可能に構成されている。具体的には、図２に示すように、送受信機２０は、電源部２１と、送受信機２０の制御を司る制御部２２と、特定小電力無線モジュール２３と、アンテナ２４とにより構成されている。電源部２１は、送受信機２０の各部に電力を供給する機能を有する。特定小電力無線モジュール２３は、上記セキュリティ端末１０の特定小電力無線モジュール１６と同様に、発信する電波の最大電力強さが所定の大きさ（０．０１Ｗ）以下の無線通信モジュールである。この場合、送受信機２０は、特定小電力無線モジュール２３によって、アンテナ２４を介して微弱電波を発信することにより、セキュリティ端末１０と通信可能に構成されている。また、送受信機２０は、特定小電力無線モジュール２３を用いることにより、セキュリティ端末１０と定期的に電波の送受信を行うように構成されている。そして、送受信機２０は、ユーザにより携帯可能であるため、セキュリティ端末１０から所定の距離（約５０ｍ）よりも遠くに移動された場合には、セキュリティ端末１０との通信が途絶える。
【００３０】
携帯端末３０は、外部の通信基地局１００を利用してインターネット通信可能に構成されている。具体的には、携帯端末３０は、電源部３１と、携帯端末３０の制御を司る制御部３２と、通信制御部３３と、ＷＡＮ（Ｗｉｄｅ  Ａｒｅａ  Ｎｅｔｗｏｒｋ）に対応する外部ネットワークインターフェース３４と、アンテナ３５と、ＬＣＤディスプレイからなる表示部３６と、スピーカ３７と、振動部３８とにより構成されている。電源部３１は、携帯端末３０の各部に電力を供給する機能を有する。通信制御部３３は、セキュリティ端末１０から送信された電子メールなどの受信処理を行うとともに、携帯端末３０から送信する電子メールなどの送信処理を行う機能を有する。また、外部ネットワークインターフェース３４は、通信基地局１００（図１参照）から送信される電子メールなどをアンテナ３５を介して受信するとともにアンテナ３５を介して電子メールなどを送信する窓口機能を有している。また、表示部３６は、携帯端末３０を操作する際の操作画面を表示するとともに、受信した電子メールなどを表示する機能を有する。スピーカ３７は、電話の着呼があった場合や電子メールなどが受信された際に、受信音を発する機能を有する。また、振動部３８は、図示しない振動モータを有しており、携帯端末３０に電子メールなどが受信された際に、振動モータ（図示せず）が回転されるのに伴って振動するように構成されている。これらスピーカ３７または振動部３８によって、ユーザは電子メールが受信されたことを容易に認識することが可能となる。
【００３１】
また、携帯端末３０の制御部３２は、電子メールが受信された場合に、スピーカ３７または振動部３８により、ユーザに電子メールを受信したことを知らせる制御を行うように構成されている。また、制御部３２は、予めインストールされている電子メールソフトを用いて受信された電子メールを表示部３６に表示させる機能を有する。また、制御部３２は、図３に示すように、携帯端末３０の表示部３６に表示されている待受画面に随時更新される文字情報を表示可能なアプリケーションソフト（ウィジェットエンジン）を実行可能に構成されている。この制御部３２により実行可能なウィジェットエンジンは、セキュリティモードのセキュリティ端末１０（図１参照）から送信されたアプリケーションソフト（ウィジェットエンジン）用の異常の情報に対応する文字データが送信された場合に、待受画面上で異常の情報に対応する文字データを表示することが可能なアプリケーションである。そして、ウィジェットエンジンは、セキュリティ端末１０（図１参照）から随時送信される文字データを、随時新しく更新して待受画面に表示するように構成されている。後述する携帯端末３０の待受画面（デスクトップ画面）に異常の状態を表示可能なアプリケーションソフト（ウィジェットエンジン）用の文字データとして、検知された異常の情報を携帯端末３０に送信するように構成されている。
【００３２】
ドアセンサ４０は、図１に示すように、ユーザ宅の出入口のドア（図示せず）に設置されており、ドアの開閉を検知する機能を有する。そして、ドアセンサ４０は、ドアの開閉状況をセキュリティ端末１０に通知するように構成されている。具体的には、ドアセンサ４０は、図２に示すように、電源部４１と、ドアセンサ４０の制御を司る制御部４２と、特定小電力無線モジュール４３と、アンテナ４４と、ドアの開閉を検知する検知部４５とにより構成されている。電源部４１は、ドアセンサ４０の各部に電力を供給する機能を有する。特定小電力無線モジュール４３は、上記セキュリティ端末１０の特定小電力無線モジュール１６と同様に、発信する電波の最大電力強さが所定の大きさ（０．０１Ｗ）以下の無線通信モジュールである。この場合、ドアセンサ４０は、特定小電力無線モジュール４３によって、アンテナ４４を介して微弱電波を発信することにより、セキュリティ端末１０と通信可能に構成されている。また、検知部４５は、図示しない一対のマグネットを有しており、一対のマグネット（図示せず）の位置関係が離間状態と接近状態との間で変化することを検知するように構成されている。そして、制御部４２は、セキュリティ端末１０からの要求により、特定小電力無線モジュール４３およびアンテナ４４を介して、検知部４５により開閉が検知されたか否かの情報を送信する制御を行うように構成されている。なお、ユーザ宅のドアは、本発明の「ユーザ宅の出入口」の一例である。
【００３３】
室内センサ５０および室外センサ６０は、図１に示すように、それぞれ、ユーザ宅の室内（図示せず）および室外に設置されており、室内および室外に人間が存在するか否かを検知する人感センサである。また、室内センサ５０および室外センサ６０は、それぞれ、室内に人間が存在するか否かをセキュリティ端末１０に通知するように構成されている。具体的には、室内センサ５０は、図２に示すように、電源部５１と、室内センサ５０の制御を司る制御部５２と、特定小電力無線モジュール５３と、アンテナ５４と、人間の存在を検知する検知部５５とにより構成されている。また、室外センサ６０は、室内センサ５０と同様に、電源部６１、制御部６２、特定小電力無線モジュール６３、アンテナ６４および検知部６５によって構成されている。電源部５１および６１は、それぞれ、室内センサ５０および室外センサ６０の各部に電力を供給する機能を有する。特定小電力無線モジュール５３および６３は、それぞれ、上記セキュリティ端末１０の特定小電力無線モジュール１６と同様に、発信する電波の最大電力強さが所定の大きさ（０．０１Ｗ）以下の無線通信モジュールである。この場合、室内センサ５０および室外センサ６０は、それぞれ、特定小電力無線モジュール５３および６３によって、アンテナ５４および６４を介して微弱電波を発信することにより、セキュリティ端末１０と通信可能に構成されている。また、検知部５５および６５は、それぞれ、人間が発する赤外線などを検知するように構成されている。そして、制御部５２および６２は、それぞれ、セキュリティ端末１０からの要求により、検知部５５および６５により室内および室外に人間がいることを検知したか否かの情報を特定小電力無線により送信する制御を行うように構成されている。
【００３４】
火災センサ７０は、図１に示すように、ユーザ宅の室内（図示せず）に設置されており、室内において火が発生しているか否かを検知する機能を有する。また、火災センサ７０は、室内において火が発生しているか否かをセキュリティ端末１０に特定小電力無線により通知するように構成されている。なお、火災センサ７０およびその他センサ類８０のそれぞれは、上記室内センサ５０および室外センサ６０と同様に、図２に示すように、電源部７１および８１、制御部７２および８２、特定小電力無線モジュール７３および８３、アンテナ７４および８４および検知部７５および８５によって構成されている。
【００３５】
次に、図２〜図４を参照して、本実施形態によるセキュリティシステム１のセキュリティ端末１０の制御部１３および携帯端末３０の制御部３２の制御フローについて説明する。具体的には、本実施形態では、ユーザがユーザ宅内におり、セキュリティ端末１０の制御部１３が通常モードで制御されている状態を起点として、セキュリティ端末１０の制御部１３および携帯端末３０の制御部３２の制御フローを以下に説明する。
【００３６】
まず、図４に示すように、ステップＳ１において、制御部１３（図２参照）により、ユーザ宅のドアの開閉があったか否かが判断される。つまり、ステップＳ１において、ユーザがユーザ宅のドアを開閉することによりユーザが外出したか否かが予測される。具体的には、ドアセンサ４０の検知部４５により、ドアの開閉状態が検知され、特定小電力無線モジュール４３およびアンテナ４４を介して、ドアの開閉状態がセキュリティ端末１０の制御部１３に伝達される。そして、ステップＳ１において、ドアが開閉されたと判断されるまでこの判断が繰り返される。
【００３７】
その後、ステップＳ２において、所定時間内にセキュリティ端末１０と定期的に行っている電波の送受信において、送受信機２０からの応答が「有り」から「無し」に切り替わったか否か（送受信機２０との通信が途切れたか否か）が判断される。具体的には、ユーザが送受信機２０を所持して外出した場合に、送受信機２０は、セキュリティ端末１０から所定の距離（約５０ｍ）よりも遠くに移動される場合がある。そして、送受信機２０がセキュリティ端末１０から所定の距離（約５０ｍ）よりも遠くに移動された場合に、送受信機２０は、セキュリティ端末１０と定期的に行っている電波の送受信が行えなくなる。このような場合において、セキュリティ端末１０の特定小電力無線モジュール１６およびアンテナ１７を介して送受信機２０に電波を送信した場合にも、セキュリティ端末１０は送受信機２０からの応答を受信することができない。そして、セキュリティ端末１０が送受信機２０からの応答を受信できなくなった場合に、送受信機２０からの応答が「有り」から「無し」に切り替わった（送受信機２０との通信が途切れた）と判断される。
【００３８】
そして、ステップＳ２において、所定時間内に送受信機２０からの応答が「有り」から「無し」に切り替わったと判断されなかった場合には、セキュリティ端末１０の制御部１３の制御フローが終了される。また、所定時間内に送受信機２０からの応答が「有り」から「無し」に切り替わったと判断された場合には、ステップＳ３に進む。
【００３９】
その後、ステップＳ３において、上記ステップＳ１によるドアが開閉されたという判断と送受信機２０からの応答が「無し」に切り替わったという判断とによって、ユーザがユーザ宅から外出したと判断され、ステップＳ４に進む。
【００４０】
そして、ステップＳ４において、セキュリティ端末１０がセキュリティモードであるか否かが判断される。そして、ステップＳ４において、セキュリティモードであると判断された場合には、後述するステップＳ７に進む。また、ステップＳ４において、セキュリティモードではないと判断された場合には、ステップＳ５に進み、ステップＳ５において、制御部１３は、通常モードからセキュリティモードに切り替える。この場合において、たとえば、ユーザ宅のドアが施錠されていない場合には、セキュリティモードによりユーザ宅が無防備になるのを抑制することが可能であるので、防犯に有効である。
【００４１】
その後、本実施形態では、ステップＳ６において、電子メールにより、通信制御部１４および外部ネットワークインターフェース１５を介して、セキュリティ端末１０が通常モードからセキュリティモードに切り替わったことが携帯端末３０に送信される。これにより、ステップＳ２０において、携帯端末３０のアンテナ３５、外部ネットワークインターフェース３４および通信制御部３３を介して、セキュリティ端末１０から送信された電子メールが制御部３２により受信処理される。その後、ステップＳ２１において、携帯端末３０の制御部３２により、スピーカ３７に受信音を発生させ、または、振動部３８に振動を発生させることによって、電子メールが受信されたことがユーザに報知される。
【００４２】
その後、ステップＳ７において、セキュリティ端末１０の制御部１３は、特定小電力無線を用いることによって、室内センサ５０、室外センサ６０、火災センサ７０およびその他センサ８０に異常検知の情報をセキュリティ端末１０側に送信するように要求する。そして、各センサの異常検知の有無を確認する。その後、ステップＳ８に進む。
【００４３】
そして、ステップＳ８において、制御部１３により、ユーザが外出中で、かつ、セキュリティモードに切り替えられている状態で、室内センサ５０、室外センサ６０、火災センサ７０およびその他センサ８０のいずれかのセンサで異常があったか否かが判断される。そして、ステップＳ８において、上記各センサのいずれかにおいて異常があると判断されるまで、この判断は繰り返される。また、ステップＳ８において、上記各センサのいずれかにおいて異常があると判断された場合には、ステップＳ９に進む。
【００４４】
そして、ステップＳ９において、上記ステップＳ８において判断された異常が重大な異常であるか否かが判断される。具体的には、たとえば、室内センサ５０により異常が検知された場合には、ユーザ宅内に不審者がいると考えられるので、重大な異常が発生したと判断される。また、火災センサ７０により検知された場合には、ユーザ宅内で不審火が発生したと考えられるので、この場合にも重大な異常が発生したと判断される。その一方で、室外センサ６０により異常が検知された場合には、ユーザ宅への訪問者などの可能性があるので、上記ステップＳ８において判断された異常は重大ではないと判断される。
【００４５】
そして、ステップＳ９において、上記ステップＳ８において判断された異常が重大であると判断された場合には、ステップＳ１０に進む。そして、ステップＳ１０において、ユーザ宅内において重大な異常が検知されたことについて携帯端末３０に電子メールが送信されるとともに、ウィジェットエンジン用の文字データが携帯端末３０に送信される。これにより、携帯端末３０では、ステップＳ３０において、制御部３２により、ステップＳ１０において送信されたウィジェット更新データが受信されたか否かが判断される。そして、ステップＳ３０において、ウィジェット更新データが受信されたと判断された場合には、ステップＳ３１に進む。そして、ステップＳ３０において、図３に示すように、携帯端末３０の表示部３６の待受画面にウィジェットエンジン用に送信された文字データが更新表示される。また、携帯端末３０では、ステップＳ４０において、アンテナ３５、外部ネットワークインターフェース３４および通信制御部３３を介して、セキュリティ端末１０から送信された電子メールが制御部３２により受信処理される。その後、ステップＳ４１において、携帯端末３０の制御部３２により、スピーカ３７に受信音を発生させるか、または、振動部３８に振動を発生させることによって、電子メールが受信されたことがユーザに報知される。その後、セキュリティ端末１０の制御部１３では、後述するステップＳ１２に進む。
【００４６】
また、図４に示すように、ステップＳ９において、上記ステップＳ８において判断された異常が重大ではないと判断された場合には、ステップＳ１１に進む。そして、ステップＳ１１において、ウィジェットエンジン用の文字データが携帯端末３０に送信される。これにより、本実施形態では、ステップＳ３０において、図３に示すように、携帯端末３０のアンテナ３５、外部ネットワークインターフェース３４および通信制御部３３を介してウィジェットエンジン用に送信された文字データが携帯端末３０の表示部３６の待受画面に更新表示される。すなわち、ステップＳ１０およびＳ１１では、重大な異常の情報がウィジェットエンジンと電子メールとの両方を用いることにより携帯端末３０に送信される一方で、重大ではない異常の情報がウィジェットエンジンのみにより携帯端末３０に送信される。これにより、重大ではない異常の情報の場合に、ウィジェットエンジンにより更新される重大ではない異常の情報を、携帯端末３０の待受画面を視認するだけで、容易に認識することが可能となる。また、全ての異常の情報が電子メールにより送信される場合と異なり、重大な異常の情報が重大ではない異常の情報に埋もれてしまうことに起因して、重大な異常をユーザが確認し難くなることを抑制することが可能となる。その後、後述するステップＳ１２に進む。
【００４７】
その後、図４に示すように、ステップＳ１２において、セキュリティ端末１０（図２参照）と定期的に行っている電波の送受信において、送受信機２０からの応答が「無し」から「有り」に切り替わったか否かが判断される。つまり、ユーザがセキュリティ端末１０から所定の距離（約５０ｍ）以内に近づいたか否かが判断される。そして、送受信機２０からの応答が「無し」から「有り」に切り替わっていないと判断された場合には、ステップＳ７に戻り、ステップＳ７〜Ｓ１１の異常の検知および携帯端末３０への報知を継続する。また、送受信機２０からの応答が「無し」から「有り」に切り替わったと判断された場合には、ステップＳ１３に進む。
【００４８】
その後、ステップＳ１３において、ユーザ宅のドアの開閉があったか否かが判断される。つまり、ステップＳ１３において、ユーザがユーザ宅のドアを開閉することによりユーザが帰宅したか否かが予測される。そして、ユーザ宅のドアの開閉がなかったと判断された場合には、ステップＳ７に戻る。また、ユーザ宅のドアの開閉があったと判断された場合には、ステップＳ１４に進み、ステップＳ１４において、ユーザが帰宅したと判断され、セキュリティ端末１０の制御部１３の制御フローが終了される。
【００４９】
本実施形態では、上記のように、通常モードの状態でユーザが外出したことを検知した場合に、通常モードからセキュリティモードに切り替えることによって、ユーザがセキュリティモードに切り替えずに外出した場合にも、セキュリティ端末１０がセキュリティモードに自動的に切り替わるので、ユーザが防犯の処置を行わずに外出した場合にも、セキュリティモードによりユーザ宅の防犯を行うことができる。また、通常モードの状態でユーザが外出したことを検知した場合に、セキュリティ端末１０側で通常モードからセキュリティモードに切り替えたことを通信制御部１４を介してユーザの携帯端末３０に通知することによって、ユーザが外出する際にセキュリティモードに設定するのを忘れた場合にも、ユーザ宅が防犯状態に切り替えられたことをユーザが外出中に認識することができる。
【００５０】
また、本実施形態では、上記のように、通常モードの状態で、送受信機２０がセキュリティ端末１０から所定の距離（約５０ｍ）以上遠くに移動された場合に、ユーザが外出したと判断して通常モードからセキュリティモードに切り替えるとともに、セキュリティ端末１０側で通常モードからセキュリティモードに切り替えたことを通信制御部１４を介してユーザの携帯端末３０に通知する制御を行うように、セキュリティ端末１０の制御部１３を構成することによって、ユーザがセキュリティ端末１０から所定の距離以上遠くに移動した場合に、送受信機２０により容易にユーザが外出したと判断することができる。
【００５１】
また、本実施形態では、上記のように、通常モードの状態で、ユーザ宅のドアの開閉を検知可能なドアセンサ４０によりユーザ宅のドアが開閉されたことが検知された後に送受信機２０がセキュリティ端末１０から所定の距離（約５０ｍ）以上遠くに移動されたと判断した場合に、ユーザが外出したと判断して通常モードからセキュリティモードに切り替えるとともに、セキュリティ端末１０側で通常モードからセキュリティモードに切り替えたことを通信制御部１４を介してユーザの携帯端末３０に通知する制御を行うように、セキュリティ端末１０の制御部１３を構成することによって、送受信機２０がセキュリティ端末１０から所定の距離（約５０ｍ）以上遠くに移動されたことと、ドアの開閉の検知との両方によりユーザが外出したか否かを判断することができるので、ユーザが外出したか否かをより正確に判断することができる。
【００５２】
また、本実施形態では、上記のように、セキュリティ端末１０の制御部１３を、ユーザが外出したことを検知した場合に、セキュリティ端末１０側で通常モードからセキュリティモードに切り替えたことを電子メールにより携帯端末３０に通知する制御を行うように構成することによって、通常携帯端末３０が備えている電子メール機能により、セキュリティ端末１０からのセキュリティモードへの切替の通知を容易に受けることができる。
【００５３】
また、本実施形態では、上記のように、ユーザが外出中で、かつ、セキュリティモードに切り替えた状態で異常を検知した際に、検知された異常の情報を、携帯端末の待受画面に表示するように携帯端末３０に送信する制御を行うことによって、待受画面上に異常の情報を表示するとともに異常の情報を更新するアプリケーションソフトであるいわゆるウィジェットエンジン機能を有する携帯端末３０をユーザが用いている場合に、ユーザの携帯端末３０の待受画面に異常の状態が表示されるので、異常の状態が電子メールによって通知される場合と異なり、ユーザは異常の状態を確認するために電子メールソフトなど携帯端末３０のアプリケーションソフトを立ち上げることなく、携帯端末３０の表示部３６の待受画面を視認するだけで異常の状態を確認することができる。
【００５４】
また、本実施形態では、上記のように、ユーザが外出中で、かつ、セキュリティモードに切り替えた状態で異常を検知した場合に、異常が重大であると判断した場合には、重大な異常情報を少なくとも電子メールにより携帯端末３０に送信するとともに、異常が重大ではないと判断した場合には、異常情報を携帯端末３０の待受画面に表示するように携帯端末３０に送信する制御を行うことによって、異常が重大ではない場合には、携帯端末３０の待受画面を視認するだけで異常を認識することができるので、ユーザの操作負担なしに異常を認識することができる。また、異常が重大な場合には電子メールにより異常情報を携帯端末３０に通知することにより、一般的に電子メールが携帯端末３０により受信された場合には、受信音などにより電子メールを受信したことをユーザに認識させることができるので、ユーザに通知された異常の情報の通知が重大であることをユーザに確実に認識させることができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、電気的に写真画像を表示するフォトフレームにセキュリティ機能を搭載した（フォトフレーム型の）セキュリティ装置を本発明に適用した例について示したが、本発明はこれに限られない。たとえば、テレビジョン装置およびルータなどにセキュリティ機能を搭載したセキュリティ装置など、電気的なフォトフレーム以外の機器にセキュリティ機能を搭載したセキュリティ装置を本発明に適用してもよい。また、他の機器の機能を統合させることなく、セキュリティ機能のみの機能を有するセキュリティ装置を本発明に適用してもよい。
【００５７】
また、上記実施形態では、送受信機を単体の機器として設けた例について示したが、本発明はこれに限られない。たとえば、送受信機の機能を携帯端末に統合させることにより、送受信機と携帯端末とを一体的に設けるようにしてもよい。また、ユーザ宅のドアの鍵に送受信機の機能を持たせることにより、送受信機とドアの鍵とを一体的に設けるようにしてもよい。
【００５８】
また、上記実施形態では、ユーザが外出中に、室内センサ、室外センサおよび火災センサの異常が検知された場合に、携帯端末に異常の状態を送信する例について示したが、本発明はこれに限られない。たとえば、ユーザが外出中に、ユーザ宅内の照明がオンされた場合に、携帯端末に異常の状態を送信するなど、ユーザ宅内の家電の使用状況が変更された際に、その使用状況の変更を異常として携帯端末に異常の状態を送信するようにしてもよい。
【００５９】
また、上記実施形態では、通常モードからセキュリティモードに変更したことを電子メールによりユーザに通知した例について示したが、本発明はこれに限られない。たとえば、電話による音声通知など、電子メール以外の方法により通常モードからセキュリティモードに変更したことをユーザに通知するようにしてもよい。
【００６０】
また、上記実施形態では、送受信機とセキュリティ端末とを特定小電力無線により通信するように構成した例について示したが、本発明はこれに限られない。たとえば、Ｂｌｕｅｔｏｏｔｈ、赤外線通信および無線ＬＡＮなど、特定小電力無線以外の無線により送受信機とセキュリティ端末とを通信するように構成してもよい。
【００６１】
また、上記実施形態では、送受信機とセキュリティ端末との特定小電力無線通信が途切れたことを、ユーザが外出したと判断する基準にした例について示したが、本発明はこれに限られない。たとえば、ＧＰＳ機能などを用いることによって、セキュリティ端末からユーザが離れたことを検知した場合に、ユーザが外出したと判断するようにしてもよい。
【００６２】
また、上記実施形態では、セキュリティ端末を、セキュリティモードと、セキュリティモード以外の通常モードとの２つのモードにより制御される例について示したが、本発明はこれに限られない。たとえば、セキュリティモード以外にセキュリティシステムの設定を行う設定モードを設けるなど、セキュリティモード以外のモードに通常モード以外のモードを設けるようにしてもよい。また、ユーザが外出したことを検知した場合に、通常モードからセキュリティモードに切り替えられる例について示したが、本発明はこれに限られない。たとえば、ユーザが外出したことを検知した場合に、上記設定モードからセキュリティモードに切り替えるなど、通常モード以外のモードからセキュリティモードに切り替えるようにしてもよい。
【００６３】
また、上記実施形態では、ユーザが外出したことをセンサなどを用いて検知する例について示したが、本発明はこれに限られない。たとえば、ユーザが外出した後に、外出したことを携帯端末を介してセキュリティ端末に通知した場合に、セキュリティ端末がユーザの外出を検知するようにしてもよい。
【００６４】
また、上記実施形態では、重大な異常をメールおよびウィジェットエンジンで、かつ、重大ではない異常をウィジェットエンジンのみで携帯端末に通信するようにした例について示したが、本発明はこれに限られない。たとえば、重大な異常をメールのみで、かつ、重大ではない異常をウィジェットエンジンのみで携帯端末に通信するようにしてもよいし、重大な異常および重大ではない異常の両方をウィジェットエンジンにより携帯端末に通信するようにしてもよい。つまり、上記実施形態の通知手段の組み合わせ以外の組み合わせで重大な異常および重大ではない異常を携帯端末に通信するようにしてもよい。
【符号の説明】
【００６５】
１  セキュリティシステム
１０  セキュリティ端末（セキュリティ装置）
１３  制御部
１４  通信制御部（通信部）
２０  送受信機（セキュリティ装置）
３０  携帯端末
３６  表示部
４０  ドアセンサ（出入口センサ部）
５０  室内センサ
６０  室外センサ
【図１】
2011076196.tif 000003
【図２】
2011076196.tif 000004
【図３】
2011076196.tif 000005
【図４】
2011076196.tif 000006